(57)【要約】  開示される技術は、ＵＥ無線端末（４０）と無線ネットワークノード（１０）との間の時間分割複信（ＴＤＤ）による通信において、サブフレームを動的に構成する能力を提供する。フレーム構造は、ダウンリンクサブフレームとして予め構成される１つ以上のサブフレーム、アップリンクサブフレームとして予め構成される１つ以上のサブフレーム、及び１つ以上の動的に構成可能なサブフレームを含む。各動的に構成可能なサブフレームは、ガード時間ピリオドと、動的に構成可能な量のダウンリンク情報を伝送するための少なくともダウンリンク部分と、を含み、いくつかの実施形態ではアップリンク情報をも含む。ＵＥ無線端末と無線ネットワークノードとの間の送信及び／又は受信について、動的に構成可能なサブフレームについての構成が判定される。【選択図】図８
2015518667.tif 000002
【特許請求の範囲】
【請求項１】
時間分割複信（ＴＤＤ）を用いてユーザ機器（ＵＥ）無線端末（４０）と通信する、無線通信ネットワークにおける使用のための無線ネットワークノード（１０）において、
ダウンリンクサブフレームとして予め構成される１つ以上のサブフレーム、アップリンクサブフレームとして予め構成される１つ以上のサブフレーム、及び１つ以上の動的に構成可能なサブフレーム、を含むフレーム構造についてのデータを処理し、
１つ以上の動的に構成可能なサブフレームについての構成を判定する、
ように構成される電子回路（１２）であって、各動的に構成可能なサブフレームは、ガード時間ピリオド、及び動的に構成可能な量のダウンリンク情報を伝送するための少なくともダウンリンク部分を含む、前記電子回路と、
無線受信回路（２２，２４，２６）と、
動的に構成可能なサブフレームのダウンリンク部分において情報を送信するように構成される無線送信回路（２７，２４，２２）と、
を備える無線ネットワークノード。
【請求項２】
前記動的に構成可能なサブフレームのうちの１つ以上は、動的に構成可能な量のアップリンク情報を伝送するためのアップリンク部分を含み、前記電子処理回路は、アップリンク部分を含む前記１つ以上の動的に構成可能なサブフレームについての構成を判定するように構成される、請求項１における無線ネットワークノード。
【請求項３】
前記無線受信回路は、動的に構成可能なサブフレームのアップリンク部分においてＵＥにより送信される情報を受信するように構成される、請求項１〜２のいずれかにおける無線ネットワークノード。
【請求項４】
前記電子回路は、前記動的に構成可能なサブフレームの前記アップリンク部分におけるデータ送信に応じて、ハイブリッド自動再送要求（ＨＡＲＱ）のフィードバックタイミングを判定する、ように構成される、請求項３における無線ネットワークノード。
【請求項５】
前記動的に構成可能なサブフレームにおいて伝送される前記アップリンク情報は、アップリンクデータ情報を含むが、制御情報を含まない、請求項３における無線ネットワークノード。
【請求項６】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記電子回路は、前記動的に構成されるサブフレームのアップリンク／ダウンリンクフォーマットを判定し、判定した前記アップリンク／ダウンリンクフォーマットに基づいて、前記動的に構成されるサブフレームについてアップリンクリソース及び／又はダウンリンクリソースの量を個々のサブフレームごとに動的に変化させる、ように構成される、
請求項１〜５のいずれかにおける無線ネットワークノード。
【請求項７】
構成可能な前記ダウンリンク部分は、少なくとも制御情報を伝送し、構成可能な前記アップリンク部分は、データ情報、リファレンス情報、及びランダムアクセス情報を伝送する、請求項２〜６における無線ネットワークノード。
【請求項８】
前記動的に構成可能なサブフレームは、前記動的に構成可能なサブフレームを処理することのできないレガシーＵＥと後方互換性がある、請求項１〜７のいずれかにおける無線ネットワークノード。
【請求項９】
前記無線ネットワークは、ＬＴＥネットワークであり、前記動的に構成可能なサブフレームは、ＬＴＥにおけるスペシャルサブフレームの拡張である、請求項１〜８のいずれかにおける無線ネットワークノード。
【請求項１０】
時間分割複信（ＴＤＤ）を用いてユーザ機器（ＵＥ）無線端末（４０）と通信する、無線通信ネットワークにおける使用のための無線ネットワークノード（１０）、のための方法であって、
ダウンリンクサブフレームとして予め構成される１つ以上のサブフレームと、アップリンクサブフレームとして予め構成される１つ以上のサブフレームと、ガード時間ピリオド、及び動的に構成可能な量のダウンリンク情報を伝送するための少なくともダウンリンク部分を各々が含む１つ以上の動的に構成可能なサブフレームと、を含むフレーム構造についてのデータを処理すること（Ｓ１）と、
１つ以上の動的に構成可能なサブフレームについての構成を判定すること（Ｓ２）と、
前記１つ以上の動的に構成可能なサブフレームのダウンリンク部分において情報を送信すること（Ｓ４）と、
を含む、方法。
【請求項１１】
前記動的に構成可能なサブフレームのうちの１つ以上は、動的に構成可能な量のアップリンク情報を伝送するためのアップリンク部分を含み、
前記方法は、アップリンク部分を含む前記１つ以上の動的に構成可能なサブフレームについての構成を判定すること（Ｓ２）をさらに含む、
請求項１０における方法。
【請求項１２】
前記動的に構成可能なサブフレームのアップリンク部分において前記ＵＥにより送信されるデータを受信すること（Ｓ３）をさらに含む、請求項１０〜１１のいずれかにおける方法。
【請求項１３】
前記動的に構成可能なサブフレームにおいて伝送されるアップリンク情報は、アップリンクデータ情報を含むが、制御情報を含まない、請求項１２における方法。
【請求項１４】
前記動的に構成可能なサブフレームは、ダウンリンクフォーマット及びアップリンクフォーマットという２つのフォーマットを有し、ダウンリンクフォーマットはアップリンクフォーマットよりも多くのダウンリンクリソースを有し、
前記方法は、
前記動的に構成されるサブフレームのアップリンク／ダウンリンクフォーマットを判定することと、
判定した前記アップリンク／ダウンリンクフォーマットに基づいて、前記動的に構成されるサブフレームについてアップリンクリソース及び／又はダウンリンクリソースの量を個々のサブフレームごとに動的に変化させることと、
をさらに含む、請求項１０〜１３のいずれかにおける方法。
【請求項１５】
構成可能な前記ダウンリンク部分は、少なくとも制御情報を伝送し、構成可能な前記アップリンク部分は、データ情報、リファレンス情報、及びランダムアクセス情報を伝送する、請求項１１〜１３における方法。
【請求項１６】
時間分割複信（ＴＤＤ）を用いて無線通信ネットワークと通信するように構成されるユーザ機器（ＵＥ）無線端末（４０）において、
ダウンリンクサブフレームとして予め構成される１つ以上のサブフレーム、アップリンクサブフレームとして予め構成される１つ以上のサブフレーム、及び１つ以上の動的に構成可能なサブフレーム、を含むフレーム構造についてのデータを処理し、
１つ以上の動的に構成可能なサブフレームについての構成を判定する、
ように構成される電子回路（４２）であって、各動的に構成可能なサブフレームは、ガード時間ピリオド、及び動的に構成可能な量のダウンリンク情報を伝送するための少なくともダウンリンク部分を含む、前記電子回路と、
動的に構成可能なサブフレームのダウンリンク部分において情報を受信するように構成される無線受信回路（６２，６４，６６）と、
情報を送信するように構成される無線送信回路（７２，６４，６２）と、
を備えるＵＥ無線端末。
【請求項１７】
前記動的に構成可能なサブフレームのうちの１つ以上は、可変量のアップリンク情報を伝送するためのアップリンク部分を含み、前記無線送信回路は、動的に構成可能なサブフレームの前記アップリンク部分において情報を送信するように構成され、前記電子処理回路は、アップリンク部分を含む前記１つ以上の動的に構成可能なサブフレームについての構成を判定するように構成される、請求項１６におけるＵＥ無線端末。
【請求項１８】
前記電子回路は、動的に構成可能なサブフレームにおけるデータ送信に関連付けられるハイブリッド自動再送要求（ＨＡＲＱ）のフィードバックタイミングを処理する、ように構成される、請求項１７におけるＵＥ無線端末。
【請求項１９】
前記動的に構成可能なサブフレームにおいて伝送される前記アップリンク情報は、アップリンクデータ情報を含むが、制御情報を含まない、請求項１７〜１８のいずれかにおけるＵＥ無線端末。
【請求項２０】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記電子回路は、前記動的に構成されるサブフレームのアップリンク／ダウンリンクフォーマットを判定し、判定した前記アップリンク／ダウンリンクフォーマットに基づいて、前記動的に構成されるサブフレームについてアップリンク及び／又はダウンリンクのリソースの量を個々のサブフレームごとに動的に変化させる、ように構成される、
請求項１６〜１９のいずれかにおけるＵＥ無線端末。
【請求項２１】
構成可能な前記ダウンリンク部分は、少なくとも制御情報を伝送し、構成可能な前記アップリンク部分は、データ情報、リファレンス情報、及びランダムアクセス情報を伝送する、請求項１７〜１９におけるＵＥ無線端末。
【請求項２２】
前記動的に構成可能なサブフレームは、前記動的に構成可能なサブフレームを処理することのできないレガシーＵＥと後方互換性がある、請求項１６〜２１のいずれかにおけるＵＥ無線端末。
【請求項２３】
前記無線ネットワークは、ＬＴＥネットワークであり、前記動的に構成可能なサブフレームは、ＬＴＥにおけるスペシャルサブフレームの拡張である、請求項１６〜２２のいずれかにおけるＵＥ無線端末。
【請求項２４】
無線ネットワークノード（１０）とユーザ機器（ＵＥ）無線端末（４０）との間で時間分割複信（ＴＤＤ）による通信を用いる無線通信ネットワークにおいて、サブフレームを使用して通信するための方法であって、
ダウンリンクサブフレームとして予め構成される１つ以上のサブフレームと、アップリンクサブフレームとして予め構成される１つ以上のサブフレームと、ガード時間ピリオド、及び動的に構成可能な量のダウンリンク情報を伝送するための少なくともダウンリンク部分を各々が含む１つ以上の動的に構成可能なサブフレームと、を含むフレーム構造についてのデータを処理するステップと、
１つ以上の動的に構成可能なサブフレームについての構成を判定するステップ（Ｓ１０）と、
動的に構成可能なサブフレームのダウンリンク部分において情報を受信するステップ（Ｓ１４）と、
を前記無線端末が実行することを含む、方法。
【請求項２５】
前記動的に構成可能なサブフレームのうちの１つ以上は、可変量のアップリンク情報を伝送するためのアップリンク部分を含み、
前記方法は、
アップリンク部分を含む前記１つ以上の動的に構成可能なサブフレームについての構成を判定することと、
動的に構成可能なサブフレームの前記アップリンク部分において情報を送信すること（Ｓ１２）と、
をさらに含む、請求項２４における方法。
【請求項２６】
前記動的に構成可能なサブフレームの前記アップリンク部分において伝送される前記アップリンク情報は、アップリンクデータ情報を含むが、制御情報を含まない、請求項２５における方法。
【請求項２７】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記方法は、
前記動的に構成されるサブフレームのアップリンク／ダウンリンクフォーマットを判定することと、
判定した前記アップリンク／ダウンリンクフォーマットに基づいて、前記動的に構成されるサブフレームについてアップリンクリソース及び／又はダウンリンクリソースの量を個々のサブフレームごとに動的に変化させることと、
をさらに含む、請求項２４〜２６のいずれかにおける方法。
【請求項２８】
構成可能な前記ダウンリンク部分は、少なくとも制御情報を伝送し、構成可能な前記アップリンク部分は、データ情報、リファレンス情報、及びランダムアクセス情報を伝送する、請求項２５〜２６のいずれかにおける方法。
【請求項２９】
前記無線ネットワークは、ＬＴＥネットワークであり、前記動的に構成可能なサブフレームは、ＬＴＥにおけるスペシャルサブフレームの拡張である、請求項２４〜２８のいずれかにおける方法。
【発明の詳細な説明】
【技術分野】
【０００１】
本技術は、通信に関し、具体的には、フレーム構造を動的に構成するためのフレーム構造、並びに方法及び装置に関する。
【背景技術】
【０００２】
典型的なセルラー無線システムにおいて、無線又はワイヤレス端末（移動局、ユーザ機器ユニット（ＵＥ）、ＵＥ無線端末、ＵＥ端末などとしても知られる）は、１つ以上のコアネットワークへ無線アクセスネットワーク（ＲＡＮ）を介して通信する。無線アクセスネットワーク（ＲＡＮ）は、複数のセルエリアへ分割される地理的エリアをカバーし、各セルエリアは、基地局、例えば無線基地局（ＲＢＳ）によってサービスされる。基地局は、いくつかのネットワークにおいて、例えば“ＮｏｄｅＢ”（ＵＭＴＳ）、“ｅＮｏｄｅＢ”（ＬＴＥ）とも呼ばれ、より一般的には無線ネットワークノードとも呼ばれ得る。セルは、基地局サイトにある無線基地局機器によって無線カバレッジを提供される地理的なエリアである。各セルは、ローカル無線エリア内のＩＤによって識別され、当該ＩＤは、当該セルにおいてブロードキャストされる。基地局は、当該基地局のレンジ内のユーザ機器ユニット（ＵＥ）と、無線周波数上で動作するエアインタフェース上で通信する。
【０００３】
３ＧＰＰ（Third  Generation  Partnership  Project）として知られるフォーラムにおいて、通信供給業者は、第３世代ネットワーク及び特にＵＴＲＡＮについての規格を提案しそれらに合意し、また、拡張データレート及び無線キャパシティについて調査している。３ＧＰＰ（Third  Generation  Partnership  Project）は、ＵＴＲＡＮ及びＧＳＭベースの無線アクセスネットワーク技術をさらに進化させることに取り組んでいる。Ｅ−ＵＴＲＡＮ（Evolved  Universal  Terrestrial  Radio  Access  Network）仕様についてのリリース１０が最近発行されたが、この規格は、大半の仕様と同様に、進化する可能性がある。Ｅ−ＵＴＲＡＮ（Evolved  Universal  Terrestrial  Radio  Access  Network）は、ＬＴＥ（Long  Term  Evolution）及びＳＡＥ（System  Architecture  Evolution）を含む。
【０００４】
ＬＴＥ（Long  Term  Evolution）は、３ＧＰＰ無線アクセス技術の変種であり、当該技術において、無線基地局ノードは、無線ネットワークコントローラ（ＲＮＣ）ノードではなくコアネットワークに接続される。一般に、ＬＴＥにおいて、１つの無線ネットワークコントローラ（ＲＮＣ）ノードの機能は、複数の無線基地局ノード（ＬＴＥにおけるｅＮｏｄｅＢ）間に分散される。そのため、ＬＴＥシステムの無線アクセスネットワーク（ＲＡＮ）は、無線ネットワークコントローラ（ＲＮＣ）ノードに直属することのない無線基地局ノードを含む、ときに“フラット”アーキテクチャと呼ばれるものを有する。
【０００５】
ノード、例えばＬＴＥ等のセルラーシステム内のＵＥのような無線端末からの送受信は、周波数領域もしくは時間領域（又はそれらの組み合わせ）で多重化されることができる。周波数分割複信（Frequency  Division  Duplex（ＦＤＤ））では、図１の左側に示されるように、ダウンリンク送信とアップリンク送信とは、互いに十分に隔てられた異なる周波数帯で行われる。時間分割複信（Time  Division  Duplex（ＴＤＤ））では、図１の右側に示されるように、ダウンリンク送信とアップリンク送信とは、互いに重ならない異なるタイムスロットで行われる。このため、ＴＤＤはペアリングされていない周波数スペクトルで動作することができるのに対し、ＦＤＤはペアリングされた周波数スペクトルを必要とする。
【０００６】
典型的に、通信システムにおいて送信される信号は、何らかの形式のフレーム構造で編成される。例えば、ＬＴＥは、図２に示されるように、無線フレームごとに、長さ１ミリ秒の１０個の同じサイズのサブフレーム０〜９を使用する。
【０００７】
（図２の上部に示される）ＦＤＤ動作の場合、１つがアップリンク送信用（ｆＵＬ）、１つがダウンリンク送信用（ｆＤＬ）の、２つの搬送周波数がある。少なくともセルラー通信システム内の無線端末に対して、ＦＤＤは全二重又は半二重のいずれかであることができる。全二重の場合、端末は送受信を同時に行うことができるが、半二重動作（図１参照）では、端末は送受信を同時に行うことができない（ただし、基地局は同時に受信／送信可能であり、すなわち、１つの端末から受信しながら同時に別の端末に送信することができる）。ＬＴＥでは、半二重の無線端末は、あるサブフレームにおいてアップリンクで送信を行うように明示的に指示された時以外は、ダウンリンクで監視／受信を行う。ＦＤＤの半二重動作は、３ＧＰＰ  ＭＡＣ仕様ＴＳ３６．３２１に明記されている。
【０００８】
（図２の下部に示される）ＴＤＤ動作の場合、搬送周波数は１つのみであり、アップリンク送信とダウンリンク送信とは時間的に分離されている。アップリンク送信及びダウンリンク送信に同じ搬送周波数が使用されるので、基地局及び移動端末はどちらも、送信から受信へ及びその逆への切換を行う必要がある。ＴＤＤシステムの１つの重要な局面は、アップリンク送信とダウンリンク送信との間の干渉を避けるために、ダウンリンク送信もアップリンク送信も発生することのない十分な大きさのガード時間を提供することである。ＬＴＥについては、“スペシャル”サブフレーム（サブフレーム１、及び場合によってはサブフレーム６）が、このガード時間を提供する。ＴＤＤスペシャルサブフレームは、ダウンリンク部分（ＤｗＰＴＳ）、ガードピリオド（ＧＰ）、及びアップリンク部分（ＵｐＰＴＳ）の３つの部分に分割される。残りのサブフレームは、アップリンク送信又はダウンリンク送信のいずれかに割り当てられる。スペシャルフレームのＤｗＰＴＳ部分は、物理ダウンリンク制御チャネル（Physical  Downlink  Control  Channel（ＰＤＣＣＨ））及び物理ダウンリンク共有チャネル（Physical  Downlink  Shared  Channel（ＰＤＳＣＨ））の送信のために使用されるが、ＵｐＰＴＳ部分は、物理ランダムアクセスチャネル（Physical  Random  Access  Channel（ＰＲＡＣＨ））上でのランダムアクセスプリアンブル送信、及びサウンディング、すなわちサウンディングリファレンス信号（ＳＲＳ）のためにのみ使用される。
【０００９】
時間分割複信（ＴＤＤ）は、アップリンク送信とダウンリンク送信とにそれぞれ割り当てられるリソースの量に関する多様な非対称性に、多様なダウンリンク／アップリンク構成を用いて対処している。ＬＴＥでは、図３に示されるように、７つの異なる構成がある。これらの構成は、アップリンクがヘビーなＤＬ：ＵＬ比率２：３の割り当て（コンフィギュレーション０）からダウンリンクがヘビーなＤＬ：ＵＬ比率９：１の割り当て（コンフィギュレーション５）までの広範囲な割り当てをカバーする。これらの構成は、後述の例において参照される。
【００１０】
必要とされるガードピリオドの長さは、ネットワーク配置やセルサイズ等に依存する。そのため、３ＧＰＰは、１１通りの多様なスペシャルサブフレーム構成を特定している。スペシャルサブフレーム構成は、サブフレームの１４個のシンボルが、ダウンリンク部分（ＤｗＰＴＳ）、アップリンク部分（ＵｐＰＴＳ）、及びガードピリオド（ＧＰ）にどのように分割されるかを定義する。特定されているスペシャルサブフレーム構成を下の表１に示す。ＴＤＤ構成及び３ＧＰＰの“スペシャル”サブフレーム構成は、システム情報ブロック（System  Information  Block）１の一部として、ブロードキャストチャネル上でＵＥにシグナリングされる。ハンドオーバーシナリオでは、専用の無線リソース制御（ＲＲＣ）シグナリングの使用も可能である。
【００１１】
【表１】
2015518667.tif 000003
【００１２】
異なるセル間のダウンリンク送信とアップリンク送信との間の著しい干渉を避けるために、隣接するセルは同じダウンリンク／アップリンク構成を有すべきである。さもなければ、図４に示されるように、１つのセルにおけるアップリンク送信が隣接するセルにおけるダウンリンク送信と干渉する場合（及びその逆の場合）がある。図４では、右側のセル内のＵＥのアップリンク送信が、左側のセル内のＵＥによるダウンリンク受信と干渉している。結果として、ダウンリンク／アップリンク非対称性がセル間でばらつくことは典型的にはあり得ない。しかしながら、例えば各セルが孤立している等、干渉が問題とならずしたがって隣接するセルにおいて異なるＴＤＤ構成をとることが可能な、いくつかの特別な配置があり得る。しかし、システム情報の一部としてシグナリングされるダウンリンク／アップリンク非対称構成は、既存のメカニズムでは、長期間固定されたままである。
【００１３】
既存のＴＤＤネットワークは、典型的に、いくつかのサブフレームがアップリンクでありいくつかのサブフレームがダウンリンクである、固定された構成を使用する。これは、変動するトラフィック状況に対するアップリンク／ダウンリンク非対称性を採用する際の柔軟性を制限する。
【００１４】
少なくともいくつかのシナリオにおいてＴＤＤシステムの柔軟性を高める１つの可能性が、共通に譲渡された米国特許出願第１２／８１６，８２１号に開示されており、ここに要約される。すなわち、各サブフレーム（又は１つのサブフレームの一部）は、ダウンリンク、アップリンク、及び“フレキシブル”と呼ばれる新しいタイプ、の３つの異なるタイプのうちの１つに属する。ダウンリンクサブフレームは、ダウンリンクデータ、システム情報、制御シグナリング、及び、アップリンク送信アクティビティに応答するハイブリッドＡＲＱフィードバックの送信に（とりわけ）使用される。例えば、ＬＴＥ  Ｒｅｌ−８において、ＵＥは、スケジューリング割り当て及びスケジューリング許可について、専用物理制御チャネル（physical  dedicated  control  channel（ＰＤＣＣＨ））サブフレームを監視する。アップリンクサブフレームは、アップリンクデータ、アップリンク制御シグナリング（例えば、チャネル状態レポート）、及び、ダウンリンクデータ送信アクティビティに応答するハイブリッドＡＲＱフィードバックの送信に（とりわけ）使用される。例えば、ＬＴＥ  Ｒｅｌ−８において、アップリンクサブフレームにおける物理アップリンク共有チャネル（physical  uplink  shared  channel（ＰＵＳＣＨ））上でのデータ送信は、先行するダウンリンクサブフレームにおいてＰＤＣＣＨ上で受信されたアップリンクスケジューリング許可によって制御される。当該共通に譲渡された米国特許出願第１２／８１６，８２１号に記載されている“フレキシブル”サブフレームは、３ＧＰＰの“スペシャル”サブフレームとは違うものであり、アップリンク送信又はダウンリンク送信に使用され得る。フレキシブルサブフレームは、特定の通信方向（アップリンク又はダウンリンク）を選択するのに使用される。
【００１５】
上記共通に譲渡された米国特許出願第１２／８１６，８２１号においては、図５に示されるように各サブフレームに対して上述の３つのタイプのうちの１つを割り当てるのに、準静的（semi-static）構成が使用される。準静的構成は、例えば、非限定的なＬＴＥのコンテキストにおいては、メディアアクセス制御（ＭＡＣ）制御要素（ＣＥ）、ＲＲＣ、又は、ＰＤＣＣＨ上の固有の無線ネットワーク一時識別子（radio  network  temporary  identifier（ＲＮＴＩ）による構成を意味し、例えば、“ＵＬ”、“ＤＬ”、又は“フレキシブル”を明示的に示すか、あるいは、既存のシグナリングメッセージを使用して“ＤＬ”及び“ＵＬ”をシグナリングした後、いくつかのサブフレームがフレキシブルと識別される、新しい無線ＵＥ端末でのみ理解可能な、追加のシグナリングメッセージを導入するか、のいずれかにより、システム情報の一部となり得る。ＵＥの観点からは、特定のフレキシブルサブフレームにおいて送信を行うように当該ＵＥが指示されていない限り、フレキシブルサブフレームは、ＤＬサブフレームと同様に取り扱われ得る。換言すれば、特定のＵＥからのアップリンク送信に割り当てられていないフレキシブルサブフレームは、ＤＬサブフレームとして扱われてよい。制御シグナリングが、後続のサブフレームについて有効なアップリンクスケジューリング許可を含む場合、ＵＥは、アップリンクにおいて１つ以上のフレキシブルサブフレームを使用して送信を行うことになる。
【００１６】
ダウンリンク割り当て及びアップリンクスケジューリング許可に加えて、他のタイプの制御シグナリングも考慮する必要がある。特に興味深いのは、一方向のデータ送信に応答して他方向に送信される、ハイブリッドＡＲＱ（ＨＡＲＱ）応答メッセージ（肯定又は否定であり得る）である。一例として、ＬＴＥにおけるＵＥが特定のサブフレームにおいてｅＮｏｄｅＢからのデータ送信を受信すると、当該ＵＥは、予め定められた時に、当該データ送信が成功したか否かを当該ｅＮｏｄｅＢに通知するハイブリッドＡＲＱ応答を送信する。共通に譲渡された米国特許出願第１２／８１６，８２１号は、フィードバックシグナリングを、アップリンクサブフレーム又はダウンリンクサブフレームにおいてのみ送信し、フレキシブルサブフレームにおいては送信しないこと、を提案している。
【００１７】
動的なＴＤＤは、２０１０年１１月１２日出願の共通に譲渡された米国特許出願第１２／９４５，５５４号においてさらに拡充されており、その内容が参照によりここに取り入れられる。ここで、ＵＥは、一次及び二次ＴＤＤ構成を使用して、サブフレームがＤＬサブフレームか、ＵＬサブフレームか、フレキシブルサブフレームか、を判定する。図５は、ダウンリンクサブフレーム、アップリンクサブフレーム、及びフレキシブルサブフレームを含む無線フレームの、非限定的な一例を示す。一次ＴＤＤ構成は、二次ＴＤＤ構成よりも多くのＵＬサブフレームを有し得る。米国特許出願第１２／９４５，５５４号はまた、ＵＬ  ＨＡＲＱのタイミングが１つのＴＤＤ構成（一次構成）に従い、ＤＬ  ＨＡＲＱのタイミングが別の構成（二次構成）に従うことを、１つの実施形態において提案している。図６は、一次ＴＤＤ構成と比較した二次ＴＤＤ構成によるＨＡＲＱフィードバックタイミングを示す非限定的な一例である。動的なＴＤＤをサポートしないＵＥは、一次ＴＤＤ構成に従わねばならない。なぜなら、この構成では、すべてのフレキシブルサブフレームがＵＬサブフレームであり、サブフレームはＤＬからＵＬへという方向には動的に変化することができないからである。そのような変化は、リファレンス信号の受信をかく乱してしまう。
【発明の概要】
【発明が解決しようとする課題】
【００１８】
望ましい目標は、レガシーＵＥがそれを利用するように構成されていない技術的特徴を含む無線ネットワークに、当該レガシーＵＥが引き続きアクセスすることができるようにすることである。例えば、レガシーＵＥは、当該レガシーＵＥがダウンリンクサブフレームとみなすすべてのサブフレームにおいてリファレンスシンボルを受信し測定を行うことができる必要がある。もしネットワークが特定のフレキシブルダウンリンクサブフレームの間にリファレンスシンボルを送信するのを怠り、レガシーＵＥがそのことに気がつかなければ、結果として、リンク品質測定がかく乱され、隣接するセルへのともすれば不必要なハンドオーバーが発生するおそれがある。
【００１９】
上で引用した２件の特許出願においては、すべてのフレキシブルサブフレームがＵＬサブフレームであるようにレガシーＴＤＤ構成でレガシーＵＥを構成することによって、後方互換性が達成されている。これによれば、ＵＬサブフレームにおいてリファレンスシンボル（ＲＳ）が送信されることがないので、レガシーＵＥの測定がかく乱されることはない。レガシーＵＥは、（図３に提示される）レガシーＴＤＤ構成でのみ構成されることができるので、このコンテキストで動的ＴＤＤを使用して上記例で割り当てられ得るＵＬリソースの最大量は、ＴＤＤコンフィギュレーション０の、１０個のサブフレーム中６個に対応する。しかし、場合によっては、アップリンクのトラフィックの急増を軽減するために大量のＵＬリソースが望ましいことがある。さらに、劣悪なカバレッジエリアにおけるＵＥは、電力が制限されるため、低ビットレートを維持することさえ難しくなることがある。このような状況で、ＵＬサブフレームの割り当てがより大きくなれば、利用可能なアップリンク送信時間がより長くなるので、ＵＥは恩恵を受けるであろう。
【００２０】
現行の３ＧＰＰの仕様では、“スペシャル”サブフレーム構成は、ブロードキャストされるシステム情報において準静的にＵＥにシグナリングされる。無線フレーム内においても、スペシャルサブフレームのガードピリオドを動的に変化させることができる必要があるが、今のところ、スペシャルサブフレーム構成を動的に適合させることは不可能である。そのため、ガードピリオドの長さは、最悪のシナリオに対処するのに十分な長さとなるように、準静的に決められる必要がある。これは、キャパシティの損失につながり、また、変更が必要な場合には、再構成が必要になるため、付随して遅延が発生する。
【００２１】
必要とされるガードピリオドが急変し得る一例として、大気ダクトを介してリモート基地局（ＢＳ）からの干渉がある場合が挙げられる。こうした干渉の存在はしばしば時間変動し、より長いガードピリオドが必要となる場合がある。今日の３ＧＰＰの仕様では、スペシャルサブフレームのダウンリンク部分ＤｗＰＴＳの長さを短くすることでガードピリオドを長くすることができるが、このアプローチで困難なのは、干渉を受けるローカル基地局においてのみでなく（すなわち、ＤＬ／ＵＬ無線チャネルの相互性がリモート基地局に干渉を引き起こし）、リモート基地局においてもまた、ガードピリオドを変化させる必要があることである。この状況における問題は、どのリモート基地局が干渉を引き起こしているのかが典型的には不明であり、また、無線チャネル自体はアップリンク方向とダウンリンク方向とで相互的であるけれども、干渉は、トラフィックの負荷及び送信電力に依存するので、必ずしも相互的ではないことである。
【００２２】
分散型のやり方で実現することのできる代替のアプローチは、アップリンクピリオドを効果的に短縮することによりガードピリオドを長くするというものである。アップリンクデータ送信について、ガードピリオド後の最初のアップリンクサブフレームにおいてアップリンク送信を許可しないことによって、上記短縮を達成することができる。しかし、アップリンクとダウンリンクとの間のタイミング関係が予め定義されているので、アップリンク制御シグナリングを当該最初のアップリンクサブフレームから削除することはできない。これはまた、アップリンク内に干渉がある場合、ダウンリンクのパフォーマンスも悪影響を被ることを意味する。というのも、１個又は典型的には数個のダウンリンクサブフレームに関連付けられるＨＡＲＱ  ＡＣＫ等の制御情報が、当該最初のサブフレームにおいて送信されるからである。
【００２３】
本願における技術は、これら及びその他の問題を解決する。
【課題を解決するための手段】
【００２４】
本技術の１つの局面は、時間分割複信（ＴＤＤ）を用いてユーザ機器（ＵＥ）無線端末と通信する、無線通信ネットワークにおける使用のための無線ネットワークノードに関する。フレーム構造は、ダウンリンクサブフレームとして予め構成される１つ以上のサブフレーム、アップリンクサブフレームとして予め構成される１つ以上のサブフレーム、及び１つ以上の動的に構成可能なサブフレーム、を含む。各動的に構成可能なサブフレームは、ガード時間ピリオド、及び動的に構成可能な量のダウンリンク情報を伝送するための少なくともダウンリンク部分を含む。１つ以上の動的に構成可能なサブフレームについて構成が判定され、当該１つ以上の動的に構成可能なサブフレームのダウンリンク部分において情報が送信される。
【００２５】
１つの例示的な実施形態において、動的に構成可能なサブフレームのうちの１つ以上は、可変量のアップリンク情報を伝送するためのアップリンク部分を含む。その場合、アップリンク部分を含む当該１つ以上の動的に構成可能なサブフレームについての構成が判定され、無線ネットワークノードは、ＵＥにより送信される動的に構成可能なサブフレームのアップリンク部分を受信し得る。
【００２６】
１つの例示的な実装において、動的に構成可能なサブフレームのアップリンク部分におけるデータ送信に応じて、ハイブリッド自動再送要求、ＨＡＲＱ、のフィードバックタイミングが判定される。
【００２７】
動的に構成可能なサブフレームにおいてアップリンク情報を伝送する別の例示的な実装は、アップリンクデータ情報を含むが、制御情報を含まない。
【００２８】
加えて、動的に構成可能なサブフレームは、ダウンリンクフォーマット及びアップリンクフォーマットという２つのフォーマットを有する。ダウンリンクフォーマットは、アップリンクフォーマットよりも多くのダウンリンクリソースを有する。その場合、動的に構成可能なサブフレームのアップリンク／ダウンリンクフォーマットを判定し、判定したアップリンク／ダウンリンクフォーマットに基づいて、動的に構成されるサブフレームについてアップリンクリソース及び／又はダウンリンクリソースの量を個々のサブフレームごとに動的に変化させてもよい。
【００２９】
本技術の別の局面は、時間分割複信（ＴＤＤ）による通信を用いる無線通信ネットワークにおいて、サブフレームを使用して無線ネットワークノードと通信するユーザ機器（ＵＥ）無線端末に関する。フレーム構造は、ダウンリンクサブフレームとして予め構成される１つ以上のサブフレーム、アップリンクサブフレームとして予め構成される１つ以上のサブフレーム、及び１つ以上の動的に構成可能なサブフレーム、を含む。各動的に構成可能なサブフレームは、ガード時間ピリオド、及び動的に構成可能な量のダウンリンク情報を伝送するための少なくともダウンリンク部分を含む。１つ以上の動的に構成可能なサブフレームについての構成が判定される。動的に構成可能なサブフレームのダウンリンク部分において、情報が、レシーバで受信される。
【００３０】
ＵＥ無線端末の１つの例示的な実施形態において、動的に構成可能なサブフレームのうちの１つ以上は、可変量のアップリンク情報を伝送するためのアップリンク部分を含む。アップリンク部分を含む当該１つ以上の動的に構成可能なサブフレームについて、構成が判定される。１つの例示的な実装において、動的に構成可能なサブフレームのアップリンク部分において伝送されるアップリンク情報は、アップリンクデータ情報を含むが、制御情報を含まない。
【００３１】
無線ネットワークノードの場合と同様に、動的に構成可能なサブフレームは、１つの例示的な実施形態において、ダウンリンクフォーマット及びアップリンクフォーマットを有し、ダウンリンクフォーマットは、アップリンクフォーマットよりも多くのダウンリンクリソースを有し得る。この場合、動的に構成されるサブフレームのアップリンク／ダウンリンクフォーマットを判定し、判定したアップリンク／ダウンリンクフォーマットに基づいて、動的に構成されるサブフレームについてアップリンクリソース及び／又はダウンリンクリソースの量を個々のサブフレームごとに動的に変化させてもよい。
【００３２】
１つの例示的な実装において、無線ネットワークはＬＴＥネットワークであり、動的に構成可能なサブフレームは、ＬＴＥにおけるスペシャルサブフレームの拡張である。また、好ましくは、動的に構成可能なサブフレームは、当該動的に構成可能なサブフレームを処理することのできないレガシーＵＥと後方互換性がある。
【図面の簡単な説明】
【００３３】
【図１】周波数分割複信、半二重周波数分割、及び時間分割複信による送信を示す図である。
【図２】ＬＴＥのためのアップリンク／ダウンリンク時間／周波数構造を、周波数分割複信（ＦＤＤ）及び時間分割複信（ＴＤＤ）の場合で別々に示す図である。
【図３】ＬＴＥ（Long  Term  Evolution）における時間分割複信（ＴＤＤ）のための７つの異なるダウンリンク／アップリンク構成を、非限定的な例として示す図である。
【図４】時間分割複信（ＴＤＤ）におけるアップリンク／ダウンリンク（ＵＬ／ＤＬ）の干渉の一例を示す図である。
【図５】ダウンリンクサブフレーム、アップリンクサブフレーム、及びフレキシブルサブフレームを含む無線フレームの、非限定的な一例を示す図である。
【図６】一次ＴＤＤ構成と比較した二次ＴＤＤ構成によるＨＡＲＱフィードバックタイミングの非限定的な一例を示す図である。
【図７】拡張スペシャルサブフレーム等の動的に構成可能なガードサブフレームを使用することが可能なＬＴＥセルラー通信ネットワークの、非限定的な一例としての機能ブロック図である。
【図８】スペシャルサブフレーム及び拡張スペシャルサブフレームのフォーマットの非限定的な例を示す図である。
【図９】動的に構成可能なガードサブフレームを用いる通信システムにおける、無線ネットワークノードが行う手続の、非限定的な例を示すフロー図である。
【図１０】動的に構成可能なガードサブフレームを用いる通信システムにおける、ＵＥ端末が行う手続の、非限定的な例を示すフロー図である。
【図１１】ＬＴＥの例におけるＴＤＤコンフィギュレーション０のスペシャルサブフレームについての、例としての許可タイミング図である。
【図１２】ＬＴＥの例における拡張スペシャルサブフレームにおけるＰＵＳＣＨ送信についてのＨＡＲＱフィードバックタイミングの一例を示す図である。
【図１３】ＬＴＥの例における拡張スペシャルサブフレームにおける復調リファレンス信号送信の非限定的な一例を示す図である。
【図１４Ａ】本明細書に記載される又は本明細書により包含されるような動的に構成可能なガードサブフレームを利用することのできる通信ネットワークにおける使用のための基地局の、非限定的な例としての機能ブロック図である。
【図１４Ｂ】本明細書に記載される又は本明細書により包含されるような動的に構成可能なガードサブフレームを利用することのできる通信ネットワークにおける使用のためのＵＥ端末の、非限定的な例としての機能ブロック図である。
【発明を実施するための形態】
【００３４】
以下の記述では、限定ではなく説明を目的として、特定のアーキテクチャ、インタフェース、技術、その他の具体的な詳細が述べられる。しかしながら、本明細書に記載される技術が、これらの具体的な詳細から離れた他の実施形態において実施され得ることは、当業者には明らかであろう。すなわち、本明細書に明示的に記載されても示されてもいないが、記載されている技術の原理を具現化しまたその思想及び範囲に含まれる様々な構成（arrangements）を、当業者は考案することができるであろう。いくつかの例示では、不必要な詳細により本説明を不明瞭にしないために、周知のデバイス、回路、及び方法の詳細な説明が省略されている。本明細書中、原理、局面、及び実施形態、並びにそれらの具体例を記載するすべての記述は、それらの構造的均等物及び機能的均等物の双方を包含することが意図される。加えて、そのような均等物は、現時点において公知の均等物と、将来開発される均等物、すなわち、構造を問わず同一の機能を行うよう開発されるあらゆる要素、との双方を含むことが意図される。
【００３５】
したがって、例えば、本明細書のブロック図が本技術の原理を具現化する例示的な回路の概念図を表し得ることが、当業者には理解されるであろう。同様に、どのフロー図、状態遷移図、擬似コード等も、コンピュータ可読媒体において実質的に表され得る及び、コンピュータやプロセッサが明示されているか否かに係わらず、コンピュータ又はプロセッサによって実質的に実行され得る、さまざまな処理を表すことが理解されるであろう。
【００３６】
“コンピュータ”、“プロセッサ”、もしくは“コントローラ”として表記又は記載される機能ブロックを含むさまざまな要素の機能は、専用ハードウェア、及びコンピュータ可読媒体に記憶されたコード化された命令の形のソフトウェアを実行可能なハードウェアを使用することで提供され得る。１つのコンピュータは、一般的に、１つ以上のプロセッサ及び／又はコントローラからなると理解され、コンピュータ及びプロセッサという用語は、本明細書中、互換可能に用いられ得る。機能がコンピュータ又はプロセッサによって提供される場合、当該機能は、単一の専用コンピュータもしくはプロセッサにより、単一の共用コンピュータもしくはプロセッサにより、又は、一部が共用もしくは分散され得る複数の個々のコンピュータもしくはプロセッサにより、提供され得る。そのような機能は、コンピュータで実現可能であり、したがって機械で実現可能であると理解される。さらに、“プロセッサ”又は“コントローラ”という用語の使用は、そのような機能を行う及び／又はソフトウェアを実行することの可能な他のハードウェアに言及するものとも解釈されるべきであり、そのような機能を行うことの可能なデジタル信号プロセッサ（ＤＳＰ）ハードウェア、縮小命令セットプロセッサ、ハードウェア（例えば、デジタル又はアナログ）回路、及び（適宜）ステートマシーンを含み得るが、これらに限定されない。
【００３７】
本願における技術は、従来のダウンリンクサブフレーム及びアップリンクサブフレームに加えて、動的に構成可能なサブフレームを提供する。動的に構成可能なサブフレームは、ダウンリンク部分、アップリンク部分、及びガード部分を含む。この技術は、例えば、時間分割複信（ＴＤＤ）ベースのシステムに有利である。動的に構成可能なガードサブフレームのダウンリンクフォーマット及び動的に構成可能なガードサブフレームのダウンリンクフォーマットの両方について説明する。
【００３８】
本願において説明される技術は、ＴＤＤ通信のための動的に構成可能なサブフレームに基づくものであり、当該サブフレームは、そのサブフレーム中で利用可能なアップリンク（ＵＬ）及び／又はダウンリンク（ＤＬ）無線通信リソースの量を増やし、ＵＬ−ＤＬリソース割り当てシェアリングにおいて動的な柔軟性を提供し、及び、変動する干渉状況に基づいて動的にガードピリオドの長さを適合させる可能性を提供する。この動的に構成可能なサブフレームは、アップリンク及び／又はダウンリンクにおけるキャパシティニーズに応じて適合され得る。動的に構成可能なサブフレームにおいては、アップリンクデータ送信のために無線リソースが好ましくは作成されるが、リモート基地局の干渉に対する堅牢性を提供するために、アップリンク制御シグナリングのためには無線リソースが作成されないのが好ましい。１つの例示的な実施形態では、下位通信プロトコルレイヤ（例えば、Ｌ１／Ｌ２）制御シグナリングは、動的に構成可能なサブフレームのアップリンクリソースにおいて送信されることはない。本技術はまた、レガシーＵＥのための後方互換性を有する。レガシーＵＥにとっては、動的に構成可能なサブフレームは、レガシー無線リソース割り当てを使用して構成された、例えば現在利用可能な最大のガードピリオド並びに最小のダウンリンク部分及びアップリンク部分を有する、通常のサブフレーム（例えば、３ＧＰＰにおける通常のスペシャルサブフレーム）とみなされる。
【００３９】
動的に構成可能なサブフレーム、例えばＬＴＥにおける拡張スペシャルサブフレームをサポートしているＵＥにとって、動的に構成可能なサブフレームは、ＤＬ方向のフォーマット及びＵＬ方向のフォーマットの２つのフォーマットのうちいずれか一方又はその両方で現れることができる。動的に構成可能なサブフレームのフォーマットは、必要に応じてサブフレームごとに、又はより低い頻度で、動的に変更され得る。ダウンリンクフォーマットとアップリンクフォーマットとの両方が記載され、両方が動的に構成されることができるが、運用のために両方が構成される必要はない。
【００４０】
以下の説明は、ＬＴＥベースの例の、非限定的かつ例示例示的なコンテキストで提供される。その例示的なコンテキストにおいては、動的に構成可能なサブフレームは、３ＧＰＰの仕様で使用されている名称に合わせて、拡張スペシャルサブフレームと称されることがある。しかし、サブフレームにおける動的に構成可能な通信リソースが有用である通信システムならどれにでも、本技術が適用され得ることを、当業者は理解するであろう。
【００４１】
図７は、ＬＴＥベースの通信システムの例図を示す。コアネットワークノードは、ＬＴＥアクセスネットワークのための重要な制御ノードである１つ以上のモビリティ管理エンティティ（Mobility  Management  Entity（ＭＭＥ））、及び、モビリティアンカーとして動作しながら、ユーザデータパケットをルーティング及び転送する１つ以上のサービングゲートウェイ（Serving  Gateway（ＳＧＷ））、を含む。上記ノードは、ＬＴＥにおいてｅＮＢと称される基地局と、Ｓ１インタフェース上で通信する。ｅＮＢは、Ｘ２インタフェース上で通信するマクロｅＮＢ及びマイクロｅＮＢを含むことができる。
【００４２】
少なくとも１つのガード時間ピリオドを含むサブフレームのＬＴＥベースの例を図８に示す。図中、サブフレーム内の各矩形ブロックは、シンボルピリオドを表す。図８は、その最上部に、長いガードピリオドを有する既存のＬＴＥ  ＴＤＤスペシャルサブフレーム構成のうちの１つを示す。レガシーＵＥ（この非限定的な例では、ＬＴＥ  Ｒｅｌ−８  ＵＥ）は、このスペシャルサブフレーム構成で準静的に構成されており、３つのシンボルピリオドがＤｗＰＴＳ（ＬＴＥにおけるダウンリンク部分）に割り当てられ、１つのシンボルが末端でＳＲＳ又はＲＡＣＨに割り当てられている。その下にあるのは、新しいＬＴＥリリースＲｅｌ−１２又はそれ以降のリリースについての、動的に構成可能な（ＬＴＥにおいては“拡張スペシャル”）ダウンリンク（ＤＬ）サブフレームフォーマット、及び動的に構成可能な（ＬＴＥにおいては“拡張スペシャル”）アップリンク（ＵＬ）サブフレームフォーマットの、非限定的な例である。動的に構成可能なＤＬサブフレームは、図示された例に示されるように、レガシースペシャルサブフレームよりも多くのダウンリンク情報を伝送することのできる構成可能なダウンリンク部分を提供する。動的に構成可能なＤＬサブフレームは、構成可能なガード部分もまた含み、場合によっては、より短い構成可能なアップリンク部分もまた含む。同様に、動的に構成可能なアップリンクサブフレームは、当該サブフレームの先頭におけるより短い構成可能なダウンリンク部分と、構成可能なガード部分と、構成可能なアップリンク部分と、を提供する。ダウンリンク部分は、レガシーＵＥがリファレンスシンボルを受信することを可能にする。アップリンク部分は、シグナリングに加えて、アップリンクデータを伝送することができる。これは、レガシースペシャルサブフレームでは不可能である。
【００４３】
図８の例では、現行の３ＧＰＰの仕様と同様に、動的に構成可能なサブフレームのダウンリンク部分はＤｗＰＴＳと表記されており、アップリンク部分はＵｐＰＴＳと表記されている。ＤｗＰＴＳ部分は、データ及び／又は制御情報を伝送するのに使用され、ＵｐＰＴＳ部分は、アップリンクデータ、制御、ランダムアクセス、及び／又はリファレンス情報を伝送するのに使用され得る。上述のように、動的に構成可能なサブフレームは、動的に構成可能なＤＬサブフレーム及び動的に構成可能なＵＬサブフレームの、２つの異なるモードを有することができる。１つ目のモードは、２つ目のモードと比較してより多くのＤＬリソースを有する。動的に構成可能なサブフレームのモード（ＤＬ／ＵＬ）は、サブフレームごとに動的に変更されることができる。
【００４４】
レガシーＵＥへの悪い影響を避けるために、図８におけるレガシーＵＥの３シンボル分のＤｗＰＴＳ（ＬＴＥにおけるＤＬ部分）が、動的に構成可能なサブフレームの動的に構成可能なＵＬ／ＤＬエリア、例えば図８におけるシンボル４〜１４、と重ならないように、これらの新しい動的に構成可能なサブフレームは構成される。
【００４５】
図９は、動的に構成可能なサブフレームを用いる通信システムにおける無線ネットワークノード、例えば基地局が行う手続の、非限定的な例を示すフロー図である。初めに、基地局は、１つ以上のダウンリンクサブフレーム、アップリンクサブフレーム、及び動的に構成可能なサブフレーム、例えばＬＴＥにおける拡張“スペシャル”サブフレーム、を含むフレーム構造ファミリーについてのデータ、又は当該フレーム構造ファミリーからのデータを処理する（ステップＳ１）。無線ネットワークノードは、干渉状況、又はアップリンクもしくはダウンリンクにおけるキャパシティニーズに基づいて、アップリンク及び／又はダウンリンクにおける１つ以上の動的に構成可能なサブフレームについての最新の構成を判定する（ステップＳ２）。無線ネットワークノードは、ネットワーク内の他の何らかのノードから受信したサブフレーム構成情報に基づいてこの判定を行ってもよく、それは自身が通信しているＵＥからの情報であってさえよい。例えば、Ｘ２インタフェース上で当該サブフレーム構成情報を受信することができる。最終的に、無線ネットワークノードは、送信された動的に構成可能なサブフレームのアップリンク部分において、ＵＥにより送信された情報を受信し処理する（ステップＳ３）。また、最終的に、無線ネットワークノードは、動的に構成可能なサブフレームのダウンリンク部分において、ダウンリンク情報を送信する（ステップＳ４）。典型的には、動的に構成可能なＵＬサブフレームと比較して、動的に構成可能なＤＬサブフレームにおいて、より多くのダウンリンク情報が送信される。アプリケーションによっては、ステップＳ３及びステップＳ４のいずれか一方が省略可能である。換言すれば、動的に構成可能なサブフレームは、両方を使用するのに加えて、ＤＬデータのために使用されてもよく又はＵＬデータのためにのみ使用されてもよい。後者２つの場合、残りの部分は、制御情報を伝送するのに好ましくは使用される。
【００４６】
図１０は、動的に構成可能なサブフレームを用いることのできる通信システムにおけるＵＥ無線端末が行う手続の、非限定的な例を示すフロー図である。初めに、又は継続的に、ＵＥは、ＤＬ及び／又はＵＬの動的に構成可能なサブフレームが使用されているかどうか、及び使用するサブフレーム構成の詳細に関する情報、を含む動的に構成可能なサブフレームに関する情報を、ネットワークから（基地局から又は基地局を介して）受信する（ステップＳ１０）。例えば、ＵＥは、動的に構成可能なＵＬ及びＤＬサブフレームの各々における、実際のガードピリオドの長さ、ダウンリンク部分の長さ、及び／又はアップリンク部分の長さ、を通知される必要がある。加えて、動的に構成可能なサブフレームのＵＬ又はＤＬフォーマットが特定の時点で使用される場合に、ＵＥは情報を受信してもよい。情報の一部は、他の情報に基づいて、例えばレガシースペシャルサブフレームフォーマットに基づいて、ＵＥによって判定される場合もある。そのように判定した及び／又は受信した情報に基づいて、ＵＥは、１つ以上の従来のアップリンクサブフレームを使用してアップリンクにおいて情報を送信するのに加えて、１つ以上の動的に構成可能なＵＬサブフレームを使用してアップリンクにおいて情報を送信し得る（ステップＳ１２）。さらに、判定した及び／又は受信した情報に基づいて、ＵＥは、１つ以上の従来のダウンリンクサブフレームを使用してダウンリンクにおいて情報を受信するのに加えて、１つ以上の動的に構成可能なＤＬサブフレーム上でダウンリンクにおいて情報を受信し得る（ステップＳ１４）。なお、動的に構成可能なＤＬサブフレーム及びＵＬサブフレームの両方をＵＥ通信に使用してもよいが、それが必須ではないことに留意する必要がある。換言すれば、ＵＥ通信は、動的に構成可能なＤＬサブフレームのみ又は動的に構成可能なＵＬサブフレームのみを使用してもよい。
【００４７】
動的に構成可能なサブフレームをサポートしていないレガシーＵＥは、後方互換可能に扱われるのが好ましい。ＬＴＥの例では、動的に構成可能なサブフレームと比較して、より少ない数のＤＬシンボルを有するＬＴＥスペシャルサブフレーム構成が使用される。例えば、コンフィギュレーション０及び５（図３参照）が好適な例である。少数のＤＬシンボルの間に、レガシーＵＥは、（例えばＰＤＣＣＨ上で）制御情報を、また場合によっては（例えばＰＤＳＣＨ上で）データ情報を受信することができる。レガシースペシャルサブフレームにおける、レガシーＵＥがその間送受信を一切行わないガードピリオドは、最大長さに構成され得る。レガシーＬＴＥ  ＵＥのための動的に構成可能なサブフレームにおけるＵＬピリオドの一例は、１シンボル又は２シンボルである。しかしながら、このサブフレームの末端は、他のＵＥによってＤＬに使用するために動的に構成される場合があるので、ネットワークＰＲＡＣＨ及びＳＲＳ構成は、サブフレームの末端でレガシーＵＥが送信を行わないようにしておくことが好ましい。ＬＴＥの例では、スペシャルサブフレームのＵｐＰＴＳ部分にＰＲＡＣＨリソースもＳＲＳリソースも構成しないようにすることで、このことは達成され得る。
【００４８】
図８及び非限定的なＬＴＥの例を再び参照して、ＤＬ方向のフォーマットについては、拡張スペシャルサブフレームは、ＰＤＣＣＨ及びＰＤＳＣＨ通信のために使用されるＤｗＰＴＳから始まる。その後にガードピリオドが続くが、これは、図示されている例では、非常に短く構成されている。スペシャルサブフレームのＤＬ部分であるＤｗＰＴＳの長さは、必要とされるガードピリオドに依存する。一例として、ガードピリオドのために２個のシンボルが必要とされる場合、図８に示されているフォーマット例では、ＤｗＰＴＳの長さは、１４−２＝１２個のシンボルになる。拡張スペシャルサブフレームの動的構成は、アップリンク部分であるＵｐＰＴＳを必ずしも含まない。
【００４９】
ＵＬフォーマットについては、拡張スペシャルサブフレームは、レガシーＵＥのためのスペシャルサブフレームのＤｗＰＴＳ部分と同様の、短いＤｗＰＴＳ部分から始まる。ＤｗＰＴＳは、制御情報、例えばＰＤＣＣＨの送信のために主に使用されるが、場合によってはＰＤＳＣＨのためにも使用され得る。ＤｗＰＴＳ部分の後にガードピリオドがあり、当該ピリオドの長さ期間は構成可能である。末端は、拡張スペシャルサブフレームのＵｐＰＴＳ部分であるが、当該部分は、現在必要とされ構成されているＤｗＰＴＳ及びガードピリオドに依存する。図８の例では、ＵｐＰＴＳの長さは、１４−３−２＝９個のシンボルとなり得る。現行の３ＧＰＰ  ＬＴＥ仕様におけるスペシャルサブフレームとは対照的に、拡張スペシャルサブフレームのＵｐＰＴＳは、ＳＲＳ及びＰＲＡＣＨ送信に加えて、ＰＵＳＣＨ送信のためにも使用され得る。
【００５０】
例えばＰＵＣＣＨ上で搬送されるアップリンク制御情報は、ＵｐＰＴＳ部分に含まれるかも知れず、当該部分から除外されるかも知れない。しかし、一例示的な実施形態では、サブフレームのこの部分が基地局（ＢＳ）対ＢＳの干渉にさらされ得るので、ＰＵＣＣＨは除外される。ＰＵＣＣＨが除外されれば、ＵｐＰＴＳのＰＵＳＣＨ上のデータ部分のみが潜在的な干渉を受けることになるので、動的に制御しやすくなる。このような制御がより容易なのは、データ部分、例えばこの例におけるサブフレームのＰＵＳＣＨ部分を、干渉状況に基づいてサブフレームごとに動的にスケジュールする（又はしない）ことができるためである。これに対し、ＨＡＲＱフィードバックのために使用されるＰＵＣＣＨ割り当てが存在する場合、ＰＵＣＣＨ上での送信は、ＤＬスケジューリングの決定に依存する。
【００５１】
ＤＬフォーマットとＵＬフォーマットとの組み合わせも可能である。その場合、レガシーＵＥに使用される数よりも大きな所定数のシンボルがＤＬフォーマットのためのＤｗＰＴＳに使用され、レガシーＵＥに使用される数よりも大きな所定数のシンボルがＵＬフォーマットのためのＵｐＰＴＳに使用され得る。
【００５２】
動的に構成可能なサブフレーム情報の一部分は、比較的素早く変化する場合があり、例えば動的に構成可能なサブフレームごとに変化するが、動的に構成可能なガード情報の別の部分は、その変化がより遅く、準静的でさえあり得る。より頻繁に変化する動的サブフレームの構成は、例えば制御チャネル上で、例えばＬＴＥにおけるＰＤＣＣＨ上で、又はＭＡＣ制御要素（ＣＥ）内で、シグナリングされることができる。より低い頻度で変化する動的サブフレームの構成又は変化は、ブロードキャストチャネル（ＳＩＢ）上でシステム情報において、又は専用のＲＲＣシグナリングにより、シグナリングされることができる。動的に構成可能なサブフレームのフォーマットは、同じセル内の又は同じ地理的エリア内のすべてのＵＥに共通であってもよいし、ＵＥ間で異なっていてもよい。
【００５３】
好ましい一例示的な実施形態においては、ＵＥは、動的に構成されるサブフレームのＤＬ／ＵＬフォーマット、及び当該サブフレームにおけるガード時間ピリオドの長さについて、少なくとも通知される。ＵＬ／ＤＬフォーマットは、各動的に構成可能なサブフレームで異なってもよい。動的に構成されるサブフレームのダウンリンク部分（例えば、ＤｗＰＴＳ）及び動的に構成されるサブフレームのアップリンク部分（例えば、ＵｐＰＴＳ）の長さは、レガシーＵＥのためのダウンリンク部分の長さから導出されることができる。例えば、レガシーＵＥのためのダウンリンク部分がシンボル３個で、ガードピリオドがシンボル２個の場合、拡張ＵＥのための動的に構成されるＤＬサブフレームにおけるダウンリンク部分のシンボルは１４−２＝１２個となり、動的に構成されるＵＬサブフレームにおけるアップリンク部分のシンボルは１４−２−３＝９個となる。
【００５４】
上述したように、動的に構成されるサブフレームのＤＬ及び／又はＵＬフォーマットは、個々のサブフレームごとに素早く変化し得る。これを行うための１つの非限定的な例としての方法を以下に説明する。ＵＥが動的に構成されるサブフレームについてのＵＬ許可を制御チャネル、例えばＰＤＣＣＨ上で前もって受信する場合、当該動的に構成されるサブフレームのフォーマットはアップリンクである。さもなければ、基地局及びＵＥは、ＵＬ許可がないので当該フォーマットはダウンリンクであるとみなす。他方、ガードピリオドの長さは、より遅い速度で変化しやすく、したがって、ガードピリオド長の準静的（再）構成の方がより適切であり得る。
【００５５】
フォーマット及びガードピリオド長の情報に加えて、ダウンリンク部分（ＤｗＰＴＳ）の長さ、アップリンク部分（ＵｐＰＴＳ）の長さ、ＲＡＣＨ及びリファレンス信号（例えば、ＳＲＳ）構成、アップリンク制御チャネル（例えば、ＰＵＣＣＨ）構成、並びにその他の情報もまた、ＵＥにシグナリングされ得る。
【００５６】
本技術の別の局面は、動的に構成されるＵＬサブフレームのＵＬリソースの許可（granting）に関する。現行のＬＴＥ規格では、スペシャルサブフレームはＰＵＳＣＨのためには使用されないので、当該サブフレームについてのＵＬ許可タイミングは存在しない。ＬＴＥの例におけるこの課題に対する１つのアプローチは、ＬＴＥにおける拡張スペシャルサブフレームについての新たな許可タイミングを定義することである。当該許可は、拡張スペシャルＵＬサブフレームよりも所定数のサブフレームだけ前の、ＰＤＣＣＨサブフレーム上でシグナリングされる。この許可と、拡張スペシャルＵＬサブフレーム上でのＰＵＳＣＨ送信との間の最小時間差は、例えば、現在の最小遅延、例えば４ｍｓに対応し得る。
【００５７】
以下の説明は、図１１に示されるＬＴＥの例示的な図に関する。拡張スペシャルサブフレームがＬＴＥ  ＴＤＤコンフィギュレーション０、１、又は２とともに使用されるシナリオにおいては、スペシャルサブフレーム＃１は、次のスペシャルサブフレーム＃６よりも４ｍｓを超えて前に配置されている。レガシーＴＤＤコンフィギュレーション０では、スペシャルサブフレーム＃１のダウンリンク部分が、他の２つのサブフレーム＃７及び＃８についてのＰＤＣＣＨ許可を既に搬送している。３つのサブフレームにわたる多重的な送信時間間隔（ＴＴＩ）の許可を避けるために、拡張スペシャルサブフレームについての許可を１サブフレーム早めに搬送すると有益であり得る。そこで、上段の手法では、４ｍｓという最小処理時間を想定して、可能な限り最も遅いＰＤＣＣＨサブフレーム＃１にＵＬ許可が示されているが、当該許可がサブフレーム＃０において搬送される下段の手法の方が好ましいかも知れない。なぜなら、サブフレーム＃０は現在、許可を１つしか搬送していないからである。
【００５８】
ＴＤＤ構成がアップリンク“ヘビー”である場合、ＰＤＣＣＨリソースは制限され得る。その場合、１つの選択肢は、動的に構成可能なサブフレームのＵＬ許可について準静的な構成を使用することである。シグナリングは、半永続的（semi-persistent）スケジューリングと同様であってもよいし、ＲＲＣによる専用シグナリングであってもよい。しかし、許可フォーマットが準静的にシグナリングされる場合であっても、動的に構成可能なサブフレームについてのＵＬ／ＤＬフォーマットは、より素早くかつ動的に、例えば１ビット指示が動的に構成可能なサブフレームよりも少なくとも４ｍｓ前に発生するように、シグナリングされることができる。
【００５９】
動的に構成されるサブフレームについてアップリンク送信、例えばＬＴＥにおけるＰＵＳＣＨ送信を導入するということは、新たなＨＡＲＱフィードバックタイミングを導入する必要があることを意味する。ハイブリッドＡＲＱフィードバックは、逆方向のデータ送信、すなわち、ＰＵＳＣＨ送信の場合にはＤＬ  ＰＨＩＣＨにおけるデータ送信への応答として送信される。現在、ＬＴＥでは、レガシースペシャルサブフレームについてＵＬ  ＨＡＲＱタイミングは提供されていない。当該サブフレームにおいてＰＵＳＣＨ送信が不可能だからである。非限定的なＬＴＥの例における拡張スペシャルサブフレームのための１つのアプローチは、拡張スペシャルサブフレームのＰＵＳＣＨ送信についてパイロットチャネル、例えばＰＨＩＣＨ上でパイロット信号を、最も近いレガシーＤＬサブフレーム内で、当該ＵＬ送信よりも少なくとも４ｍｓ前に、送信することである。図１２は、非限定的なＬＴＥの例における、拡張スペシャルサブフレームにおけるＰＵＳＣＨ送信についてのＨＡＲＱフィードバックタイミングの例を図示したものである。
【００６０】
拡張スペシャルサブフレームは、ＬＴＥの例において、伝送ブロックサイズに関する新しい技術もまた必要とする。ＬＴＥの例における拡張スペシャルサブフレーム内のＰＵＳＣＨシンボルの数は、通常のＵＬ  ＬＴＥサブフレーム内のシンボル数よりも少ない。また、拡張スペシャルサブフレームについてのＤｗＰＴＳのためのシンボルの数は、レガシースペシャルサブフレームと比較して異なる。このため、３ＧＰＰ  ＴＳ３６．２１３に現在定義されている伝送ブロックサイズは、拡張スペシャルサブフレームには適さない。しかし、１つのアプローチは、新たな伝送ブロックサイズを特定するのではなく、その内容が参照によりここに取り入れられる３ＧＰＰ  ＴＳ３６．２１３における現行の伝送ブロックサイズテーブルをスケーリングすることである。ＵＥは、拡張スペシャルサブフレームにおいてＰＵＳＣＨ／ＰＤＳＣＨに使用されるシンボルの数を計算し、その後、現行の３ＧＰＰ伝送ブロックサイズテーブル内のビットの数をスケーリングするか、又は、伝送ブロックサイズの判定に使用されるリソースブロックの数をスケーリングする。例えば、拡張スペシャルサブフレームにおけるＰＵＳＣＨ／ＰＤＳＣＨのシンボルの数が９個であれば、現在のＬＴＥの例では、既存の伝送ブロック（ＴＢ）サイズ又はリソースブロックの数が、係数９／１４を用いてスケーリングされる。
【００６１】
本技術の別の局面は、動的に構成されるサブフレームのためのリファレンス信号構造、すなわち、リファレンスシンボルの時間的及び周波数的な場所、に関する。１つの例示的な実施形態においては、ＬＴＥにおいて現在使用されているものとは異なる新たなリファレンス信号構造を、動的に構成されるサブフレームのダウンリンク部分について用いることができる。一例が、非限定的なＬＴＥの例における拡張スペシャルサブフレーム内のセル固有リファレンス信号の削除である。あるいは、既存のアップリンクリファレンス信号構造を変更してもよい。例えば、リファレンス信号を他のシンボルへ時間的に移動してもよいし、周波数的に及び／又は時間的に今よりまばらにしてもよい。これは、１つのサブフレーム内のリファレンスシンボルの数の減少を意味する。
【００６２】
別の例示的な実施形態においては、通常のアップリンクサブフレームフォーマットから、アップリンクデータについてのシンボルスロットフォーマットを、サブフレームの末端及び／又は先頭でシンボル（例えば、ＬＴＥの例においてはＳＣ−ＦＤＭＡシンボル）をパンクチャ（puncture）することと、シンボル位置を時間的にシフトさせることと、を組み合わせることにより作成する。ＬＴＥの次の例を考える。通常のサイクリックプレフィクスの場合、通常のＵＬサブフレームは２つのスロットを含み、各スロットは７個のＳＣ−ＦＤＭＡシンボルを有する。各スロット内の中央のシンボルは、既知の復調リファレンス信号であり、データ送信には他のＳＣ-ＦＤＭＡシンボルを使用することができる。サブフレームの末端及び先頭で２つのシンボルをパンクチャするのと合わせて、４個のシンボルをシフトする例を、図１３に示す。この図は、拡張スペシャルサブフレームにおける復調リファレンス信号（ＤＭＲＳ）送信の一例を示している。
【００６３】
図１４Ａは、本明細書に記載されるか又は本明細書により包含されるような動的に構成されるガードサブフレームを利用することのできる一例としての無線ネットワークノード１０を示す。無線ネットワークノード１０は、１つ以上のＵＥ無線端末４０とエアインタフェース上で通信し、また、サブフレームジェネレータ３４の動作を制御するフレーム／サブフレームスケジューラ３０を含む。サブフレームジェネレータ３４は、上述の非限定的な例示的な実施形態のうちの１つ以上に従って１つ以上のダウンリンク及び／又はアップリンクサブフレームを動的に（再）構成する動的サブフレームコントローラ３２を含む。サブフレームジェネレータ３４は、ダウンリンクデータを無線ネットワークノード１０からＵＥ無線端末４０へ、及びアップリンクデータを当該ＵＥ無線端末から当該無線ネットワークノードへ送信するのに使用されるサブフレームを構成し及びフォーマットするように構成されている。フレーム／サブフレームスケジューラ３０は、動的サブフレームコントローラ３２と連動して、ダウンリンク／アップリンクサブフレームを構成し及びフォーマットし、また、１つ以上のダウンリンク及び／又はアップリンクサブフレームの動的な構成を無線ネットワークノード及びＵＥ無線端末の双方が理解するようにシグナリングを制御する。
【００６４】
無線ネットワークノードは、トランスミッタ２７や、アンテナポート２４を介して当該無線ネットワークノードに接続されるアンテナ２２等の、典型的な無線ネットワークノードハードウェアもまた含む。受信された信号はレシーバ２６で処理され、そこで当該受信信号はベースバンドに変換される。サブフレームコントローラ２８は、受信されたベースバンド信号からフレームを抽出し、当該フレームはフレーム／サブフレームスケジューラ３０によって処理される。サブフレームコントローラ２８、フレーム／サブフレームスケジューラ３０、動的サブフレームコントローラ３２、及びサブフレームジェネレータ３４は、コンピュータにより、例えば１つ以上のプロセッサ又はコントローラにより実現されることができる。コンピュータ１２は、ＲＡＭ１６と、ＲＯＭ１８と、アプリケーションプログラム２０とを含むメモリ１４とともに示されている。コンピュータ１２の機能は、他のタイプの好適に構成された電子回路を使用して実現されてもよい。
【００６５】
図１４ＢにおけるＵＥ無線端末４０は、半永久的指定によりアップリンク（ＵＬ）サブフレームであると理解されるフレームについて、又は、動的に構成可能なガードサブフレームと理解されるものであって、受信された制御情報やシグナリングその他からアップリンク（ＵＬ）送信に使用されるものであると理解されるフレームについて、アップリンク（ＵＬ）上でサブフレームの送信をＵＥ無線端末４０が生成することができるように、サブフレームジェネレータ７０を含む。サブフレームジェネレータ７０からのサブフレームは、トランスミッタ７２に提供され、そこでベースバンド情報がＲＦ信号に変換される。当該ＲＦ信号は、１つ以上のポート６４を介して１つ以上のアンテナ６２へルーティングされて、エアインタフェース上で無線ネットワークノード１０へ送信される。ダウンリンク信号は、１つ以上のアンテナ６２を介して受信され、１つ以上のポート６４を介してレシーバ６６へ運ばれ、当該レシーバが当該ＲＦ信号をベースバンドに変換する。その後、このベースバンド信号はサブフレームコントローラ６８に提供され、そこで、予め構成されるダウンリンクサブフレームと、ダウンリンクの動的に構成可能なサブフレームであると指定又は想定される動的に構成可能なサブフレームと、によるダウンリンクサブフレーム処理にかけられる。
【００６６】
サブフレームコントローラ６８及びサブフレームジェネレータ７０は、コンピュータにより、例えば１つ以上のプロセッサ又はコントローラにより実現されることができる。コンピュータ４２は、ＲＡＭ４６と、ＲＯＭ４８と、アプリケーションプログラム５０とを含むメモリ４４とともに示されている。コンピュータ４２の機能は、他のタイプの好適に構成された電子回路を使用して実現されてもよい。ＵＥ無線端末は、キーパッド５２、音声入力５４、映像入力５６、映像出力５８、及び音声出力６０等の、典型的なユーザインタフェース構成要素もまた含み得る。
【００６７】
上述した技術は、ＴＤＤベースの通信システムにおける動的なダウンリンク／アップリンク無線リソース割り当てを提供する。レガシーＵＥへの後方互換性も有する動的に構成可能なガードサブフレームにおいて、より多くのアップリンク及びダウンリンク無線リソースが利用可能とされる。さらに、動的に構成可能なガードサブフレームにおいて制御シグナリングを送信しないことにより、本技術は、リモート基地局の干渉に対する堅牢性を提供する。
【００６８】
さまざまな実施形態を示し詳細に説明したが、特許請求の範囲はどの特定の実施形態又は例にも限定されない。上の説明のどれも、いずれかの特定の要素、ステップ、範囲、又は機能が特許請求の範囲に含まれねばならないような不可欠なものであることを示唆すると解釈されるべきでない。特許される要旨は、特許請求の範囲によってのみ定義される。法的保護の範囲は、許可された特許請求の範囲に記載された文言及びそれらの均等物によって定義される。当業者にとって既知の、上記好ましい実施形態の要素の構造上及び機能上の均等物はすべて、参照により本明細書に明示的に組み込まれたものとし、本特許請求の範囲によって包含されることが意図される。さらに、１つのデバイス又は方法が、本明細書に記載される技術によって解決を求められているあらゆる問題に対処する必要はない。それは、本特許請求の範囲に包含されるからである。「のための手段（“means  for”）」又は「のためのステップ（“step  for”）」という文言が使用されていない限り、どの請求項も米国特許法第１１２条第６パラグラフを求める意図はない。さらに、本明細書における実施形態、特徴、構成要素、及びステップはどれも、その実施形態、特徴、構成要素、又はステップが特許請求の範囲に記載されているかどうかにかかわらず、公衆に提供されることは意図されていない。
【図１】
2015518667.tif 000004
【図２】
2015518667.tif 000005
【図３】
2015518667.tif 000006
【図４】
2015518667.tif 000007
【図５】
2015518667.tif 000008
【図６】
2015518667.tif 000009
【図７】
2015518667.tif 000010
【図８】
2015518667.tif 000011
【図９】
2015518667.tif 000012
【図１０】
2015518667.tif 000013
【図１１】
2015518667.tif 000014
【図１２】
2015518667.tif 000015
【図１３】
2015518667.tif 000016
【図１４Ａ】
2015518667.tif 000017
【図１４Ｂ】
2015518667.tif 000018
【手続補正書】
【提出日】平成25年12月19日(2013.12.19)
【手続補正１】
【補正対象書類名】特許請求の範囲
【補正対象項目名】全文
【補正方法】変更
【補正の内容】
【特許請求の範囲】
【請求項１】
時間分割複信（ＴＤＤ）を用いてユーザ機器（ＵＥ）無線端末（４０）と通信する、無線通信ネットワークにおける使用のための無線ネットワークノード（１０）において、
ダウンリンクサブフレームとして予め構成される１つ以上のサブフレーム、アップリンクサブフレームとして予め構成される１つ以上のサブフレーム、及び１つ以上の動的に構成可能なサブフレーム、を含むフレーム構造についてのデータを処理し、
１つ以上の動的に構成可能なサブフレームについての構成を判定する、
ように構成される電子回路（１２）であって、各動的に構成可能なサブフレームは、ガード時間ピリオド、及び動的に構成可能な量のダウンリンク情報を伝送するための少なくともダウンリンク部分を含み、前記ガード時間ピリオド及び前記ダウンリンク部分の長さが動的に構成可能である、前記電子回路と、
無線受信回路（２２，２４，２６）と、
制御チャネル上で前記ユーザ機器無線端末（４０）へ、１つ以上の動的に構成可能なサブフレームについて判定した前記構成に関する情報をシグナリングし、
動的に構成可能なサブフレームのダウンリンク部分において情報を送信する、
ように構成される無線送信回路（２７，２４，２２）と、
を備える無線ネットワークノード。
【請求項２】
前記動的に構成可能なサブフレームのうちの１つ以上は、動的に構成可能な量のアップリンク情報を伝送するためのアップリンク部分を含み、前記電子処理回路（１２）は、アップリンク部分を含む前記１つ以上の動的に構成可能なサブフレームについての構成を判定するように構成される、請求項１における無線ネットワークノード。
【請求項３】
前記無線受信回路（２２，２４，２６）は、動的に構成可能なサブフレームのアップリンク部分においてＵＥにより送信される情報を受信するように構成される、請求項１〜２のいずれかにおける無線ネットワークノード。
【請求項４】
前記電子回路（１２）は、前記動的に構成可能なサブフレームの前記アップリンク部分におけるデータ送信に応じて、ハイブリッド自動再送要求（ＨＡＲＱ）のフィードバックタイミングを判定する、ように構成される、請求項３における無線ネットワークノード。
【請求項５】
前記動的に構成可能なサブフレームにおいて伝送される前記アップリンク情報は、アップリンクデータ情報を含むが、制御情報を含まない、請求項３における無線ネットワークノード。
【請求項６】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記電子回路（１２）は、前記動的に構成されるサブフレームのアップリンク／ダウンリンクフォーマットを判定し、判定した前記アップリンク／ダウンリンクフォーマットに基づいて、前記動的に構成されるサブフレームについてアップリンクリソース及び／又はダウンリンクリソースの量を個々のサブフレームごとに動的に変化させる、ように構成される、
請求項１〜５のいずれかにおける無線ネットワークノード。
【請求項７】
構成可能な前記ダウンリンク部分は、少なくとも制御情報を伝送し、構成可能な前記アップリンク部分は、データ情報、リファレンス情報、及びランダムアクセス情報を伝送する、請求項２〜６における無線ネットワークノード。
【請求項８】
構成可能な前記ダウンリンク部分及び／又は構成可能な前記アップリンク部分は、レガシーＵＥのダウンリンク（ＤｗＰＴｓ）部分に重複せず、よって、前記動的に構成可能なサブフレームは、前記動的に構成可能なサブフレームを処理することのできない前記レガシーＵＥと後方互換性がある、請求項１〜７のいずれかにおける無線ネットワークノード。
【請求項９】
前記無線ネットワークは、ＬＴＥネットワークであり、前記動的に構成可能なサブフレームは、ＬＴＥにおけるスペシャルサブフレームの拡張である、請求項１〜８のいずれかにおける無線ネットワークノード。
【請求項１０】
時間分割複信（ＴＤＤ）を用いてユーザ機器（ＵＥ）無線端末（４０）と通信する、無線通信ネットワークにおける使用のための無線ネットワークノード（１０）、のための方法であって、
ダウンリンクサブフレームとして予め構成される１つ以上のサブフレームと、アップリンクサブフレームとして予め構成される１つ以上のサブフレームと、ガード時間ピリオド、及び動的に構成可能な量のダウンリンク情報を伝送するための少なくともダウンリンク部分を各々が含む１つ以上の動的に構成可能なサブフレームと、を含むフレーム構造についてのデータを処理すること（Ｓ１）と、
前記ガード時間ピリオド及び前記ダウンリンク部分の長さは、動的に構成可能であることと、
１つ以上の動的に構成可能なサブフレームについての構成を判定すること（Ｓ２）と、
制御チャネル上で前記ユーザ機器無線端末（４０）へ、１つ以上の動的に構成可能なサブフレームについての判定した前記構成に関する情報をシグナリングすることと、
前記１つ以上の動的に構成可能なサブフレームのダウンリンク部分において情報を送信すること（Ｓ４）と、
を含む、方法。
【請求項１１】
前記動的に構成可能なサブフレームのうちの１つ以上は、動的に構成可能な量のアップリンク情報を伝送するためのアップリンク部分を含み、
前記方法は、アップリンク部分を含む前記１つ以上の動的に構成可能なサブフレームについての構成を判定すること（Ｓ２）をさらに含む、
請求項１０における方法。
【請求項１２】
前記動的に構成可能なサブフレームのアップリンク部分において前記ＵＥにより送信されるデータを受信すること（Ｓ３）をさらに含む、請求項１０〜１１のいずれかにおける方法。
【請求項１３】
前記動的に構成可能なサブフレームにおいて伝送されるアップリンク情報は、アップリンクデータ情報を含むが、制御情報を含まない、請求項１２における方法。
【請求項１４】
前記動的に構成可能なサブフレームは、ダウンリンクフォーマット及びアップリンクフォーマットという２つのフォーマットを有し、ダウンリンクフォーマットはアップリンクフォーマットよりも多くのダウンリンクリソースを有し、
前記方法は、
前記動的に構成されるサブフレームのアップリンク／ダウンリンクフォーマットを判定することと、
判定した前記アップリンク／ダウンリンクフォーマットに基づいて、前記動的に構成されるサブフレームについてアップリンクリソース及び／又はダウンリンクリソースの量を個々のサブフレームごとに動的に変化させることと、
をさらに含む、請求項１０〜１３のいずれかにおける方法。
【請求項１５】
構成可能な前記ダウンリンク部分は、少なくとも制御情報を伝送し、構成可能な前記アップリンク部分は、データ情報、リファレンス情報、及びランダムアクセス情報を伝送する、請求項１１〜１３における方法。
【請求項１６】
時間分割複信（ＴＤＤ）を用いて無線通信ネットワークと通信するように構成されるユーザ機器（ＵＥ）無線端末（４０）において、
ダウンリンクサブフレームとして予め構成される１つ以上のサブフレーム、アップリンクサブフレームとして予め構成される１つ以上のサブフレーム、及び１つ以上の動的に構成可能なサブフレーム、を含むフレーム構造についてのデータを処理し、
１つ以上の動的に構成可能なサブフレームについての判定される前記構成に関する受信される前記情報に基づいて、１つ以上の動的に構成可能なサブフレームについての構成を判定する、
ように構成される電子回路（４２）であって、各動的に構成可能なサブフレームは、ガード時間ピリオド、及び動的に構成可能な量のダウンリンク情報を伝送するための少なくともダウンリンク部分を含み、前記ガード時間ピリオド及び前記ダウンリンク部分の長さが動的に構成可能である、前記電子回路と、
前記無線通信ネットワークから制御チャネル上で、１つ以上の動的に構成可能なサブフレームについての判定される前記構成に関する情報を受信し、
動的に構成可能なサブフレームのダウンリンク部分において情報を受信する、
ように構成される無線受信回路（６２，６４，６６）と、
情報を送信するように構成される無線送信回路（７２，６４，６２）と、
を備えるＵＥ無線端末。
【請求項１７】
前記動的に構成可能なサブフレームのうちの１つ以上は、可変量のアップリンク情報を伝送するためのアップリンク部分を含み、前記無線送信回路（７２，６４，６２）は、動的に構成可能なサブフレームの前記アップリンク部分において情報を送信するように構成され、前記電子処理回路（４２）は、アップリンク部分を含む前記１つ以上の動的に構成可能なサブフレームについての構成を判定するように構成される、請求項１６におけるＵＥ無線端末。
【請求項１８】
前記電子回路（４２）は、動的に構成可能なサブフレームにおけるデータ送信に関連付けられるハイブリッド自動再送要求（ＨＡＲＱ）のフィードバックタイミングを処理する、ように構成される、請求項１７におけるＵＥ無線端末。
【請求項１９】
前記動的に構成可能なサブフレームにおいて伝送される前記アップリンク情報は、アップリンクデータ情報を含むが、制御情報を含まない、請求項１７〜１８のいずれかにおけるＵＥ無線端末。
【請求項２０】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記電子回路（４２）は、前記動的に構成されるサブフレームのアップリンク／ダウンリンクフォーマットを判定し、判定した前記アップリンク／ダウンリンクフォーマットに基づいて、前記動的に構成されるサブフレームについてアップリンク及び／又はダウンリンクのリソースの量を個々のサブフレームごとに動的に変化させる、ように構成される、
請求項１６〜１９のいずれかにおけるＵＥ無線端末。
【請求項２１】
構成可能な前記ダウンリンク部分は、少なくとも制御情報を伝送し、構成可能な前記アップリンク部分は、データ情報、リファレンス情報、及びランダムアクセス情報を伝送する、請求項１７〜１９におけるＵＥ無線端末。
【請求項２２】
構成可能な前記ダウンリンク部分及び／又は構成可能な前記アップリンク部分は、レガシーＵＥのダウンリンク（ＤｗＰＴｓ）部分に重複せず、よって、前記動的に構成可能なサブフレームは、前記動的に構成可能なサブフレームを処理することのできないレガシーＵＥと後方互換性がある、請求項１６〜２１のいずれかにおけるＵＥ無線端末。
【請求項２３】
前記無線ネットワークは、ＬＴＥネットワークであり、前記動的に構成可能なサブフレームは、ＬＴＥにおけるスペシャルサブフレームの拡張である、請求項１６〜２２のいずれかにおけるＵＥ無線端末。
【請求項２４】
無線ネットワークノード（１０）とユーザ機器（ＵＥ）無線端末（４０）との間で時間分割複信（ＴＤＤ）による通信を用いる無線通信ネットワークにおいて、サブフレームを使用して通信するための方法であって、
ダウンリンクサブフレームとして予め構成される１つ以上のサブフレームと、アップリンクサブフレームとして予め構成される１つ以上のサブフレームと、ガード時間ピリオド、及び動的に構成可能な量のダウンリンク情報を伝送するための少なくともダウンリンク部分を各々が含む１つ以上の動的に構成可能なサブフレームと、を含むフレーム構造についてのデータを処理するステップと、
前記ガード時間ピリオド及び前記ダウンリンク部分の長さは、動的に構成可能であることと、
前記無線通信ネットワークから制御チャネル上で、１つ以上の動的に構成可能なサブフレームについての判定される前記構成に関する情報を受信することと、
受信される前記情報に基づいて、１つ以上の動的に構成可能なサブフレームについての構成を判定するステップ（Ｓ１０）と、
動的に構成可能なサブフレームのダウンリンク部分において情報を受信するステップ（Ｓ１４）と、
を前記無線端末が実行することを含む、方法。
【請求項２５】
前記動的に構成可能なサブフレームのうちの１つ以上は、可変量のアップリンク情報を伝送するためのアップリンク部分を含み、
前記方法は、
アップリンク部分を含む前記１つ以上の動的に構成可能なサブフレームについての構成を判定することと、
動的に構成可能なサブフレームの前記アップリンク部分において情報を送信すること（Ｓ１２）と、
をさらに含む、請求項２４における方法。
【請求項２６】
前記動的に構成可能なサブフレームの前記アップリンク部分において伝送される前記アップリンク情報は、アップリンクデータ情報を含むが、制御情報を含まない、請求項２５における方法。
【請求項２７】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記方法は、
前記動的に構成されるサブフレームのアップリンク／ダウンリンクフォーマットを判定することと、
判定した前記アップリンク／ダウンリンクフォーマットに基づいて、前記動的に構成されるサブフレームについてアップリンクリソース及び／又はダウンリンクリソースの量を個々のサブフレームごとに動的に変化させることと、
をさらに含む、請求項２４〜２６のいずれかにおける方法。
【請求項２８】
構成可能な前記ダウンリンク部分は、少なくとも制御情報を伝送し、構成可能な前記アップリンク部分は、データ情報、リファレンス情報、及びランダムアクセス情報を伝送する、請求項２５〜２６のいずれかにおける方法。
【請求項２９】
前記無線ネットワークは、ＬＴＥネットワークであり、前記動的に構成可能なサブフレームは、ＬＴＥにおけるスペシャルサブフレームの拡張である、請求項２４〜２８のいずれかにおける方法。
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
時間分割複信（ＴＤＤ）を用いてユーザ機器（ＵＥ）無線端末（４０）と通信する、無線通信ネットワークにおける使用のための無線ネットワークノード（１０）において、
ダウンリンクサブフレームとして予め構成される１つ以上のサブフレーム、アップリンクサブフレームとして予め構成される１つ以上のサブフレーム、及び１つ以上の動的に構成可能なサブフレーム、を含むフレーム構造についてのデータを処理し、
１つ以上の動的に構成可能なサブフレームについての構成を判定する、
ように構成される電子回路（１２）であって、各動的に構成可能なサブフレームは、ガード時間ピリオド、及び動的に構成可能な量のダウンリンク情報を伝送するための少なくともダウンリンク部分を含み、前記ガード時間ピリオド及び前記ダウンリンク部分の長さが動的に構成可能である、前記電子回路と、
無線受信回路（２２，２４，２６）と、
制御チャネル上で前記ユーザ機器無線端末（４０）へ、１つ以上の動的に構成可能なサブフレームについて判定した前記構成に関する情報をシグナリングし、
動的に構成可能なサブフレームのダウンリンク部分において情報を送信する、
ように構成される無線送信回路（２７，２４，２２）と、
を備える無線ネットワークノード。
【請求項２】
前記動的に構成可能なサブフレームのうちの１つ以上は、動的に構成可能な量のアップリンク情報を伝送するためのアップリンク部分を含み、前記電子回路（１２）は、アップリンク部分を含む前記１つ以上の動的に構成可能なサブフレームについての構成を判定するように構成される、請求項１における無線ネットワークノード。
【請求項３】
前記無線受信回路（２２，２４，２６）は、動的に構成可能なサブフレームのアップリンク部分においてＵＥにより送信されるアップリンク情報を受信するように構成される、請求項１〜２のいずれかにおける無線ネットワークノード。
【請求項４】
前記電子回路（１２）は、前記動的に構成可能なサブフレームの前記アップリンク部分におけるデータ送信に応じて、ハイブリッド自動再送要求（ＨＡＲＱ）のフィードバックタイミングを判定する、ように構成される、請求項３における無線ネットワークノード。
【請求項５】
前記動的に構成可能なサブフレームにおいて伝送される前記アップリンク情報は、アップリンクデータ情報を含むが、制御情報を含まない、請求項３における無線ネットワークノード。
【請求項６】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記電子回路（１２）は、前記動的に構成可能なサブフレームのアップリンク／ダウンリンクフォーマットを判定し、判定した前記アップリンク／ダウンリンクフォーマットに基づいて、前記動的に構成可能なサブフレームについてアップリンクリソース及び／又はダウンリンクリソースの量を個々のサブフレームごとに動的に変化させる、ように構成される、
請求項１〜５のいずれかにおける無線ネットワークノード。
【請求項７】
構成可能な前記ダウンリンク部分は、少なくとも制御情報を伝送し、構成可能なアップリンク部分は、データ情報、リファレンス情報、及びランダムアクセス情報を伝送する、請求項２〜６のいずれかにおける無線ネットワークノード。
【請求項８】
構成可能な前記ダウンリンク部分及び／又は構成可能なアップリンク部分は、レガシーＵＥのダウンリンク（ＤｗＰＴｓ）部分に重複せず、よって、前記動的に構成可能なサブフレームは、前記動的に構成可能なサブフレームを処理することのできない前記レガシーＵＥと後方互換性がある、請求項１〜７のいずれかにおける無線ネットワークノード。
【請求項９】
前記無線通信ネットワークは、ＬＴＥネットワークであり、前記動的に構成可能なサブフレームは、ＬＴＥにおけるスペシャルサブフレームの拡張である、請求項１〜８のいずれかにおける無線ネットワークノード。
【請求項１０】
時間分割複信（ＴＤＤ）を用いてユーザ機器（ＵＥ）無線端末（４０）と通信する、無線通信ネットワークにおける使用のための無線ネットワークノード（１０）、のための方法であって、
ダウンリンクサブフレームとして予め構成される１つ以上のサブフレームと、アップリンクサブフレームとして予め構成される１つ以上のサブフレームと、ガード時間ピリオド、及び動的に構成可能な量のダウンリンク情報を伝送するための少なくともダウンリンク部分を各々が含む１つ以上の動的に構成可能なサブフレームと、を含むフレーム構造についてのデータを処理すること（Ｓ１）と、
前記ガード時間ピリオド及び前記ダウンリンク部分の長さは、動的に構成可能であることと、
１つ以上の動的に構成可能なサブフレームについての構成を判定すること（Ｓ２）と、
制御チャネル上で前記ユーザ機器無線端末（４０）へ、１つ以上の動的に構成可能なサブフレームについての判定した前記構成に関する情報をシグナリングすることと、
前記１つ以上の動的に構成可能なサブフレームのダウンリンク部分において情報を送信すること（Ｓ４）と、
を含む、方法。
【請求項１１】
前記動的に構成可能なサブフレームのうちの１つ以上は、動的に構成可能な量のアップリンク情報を伝送するためのアップリンク部分を含み、
前記方法は、アップリンク部分を含む前記１つ以上の動的に構成可能なサブフレームについての構成を判定すること（Ｓ２）をさらに含む、
請求項１０における方法。
【請求項１２】
前記動的に構成可能なサブフレームのアップリンク部分において前記ＵＥにより送信されるアップリンク情報を受信すること（Ｓ３）をさらに含む、請求項１０〜１１のいずれかにおける方法。
【請求項１３】
前記動的に構成可能なサブフレームにおいて伝送されるアップリンク情報は、アップリンクデータ情報を含むが、制御情報を含まない、請求項１２における方法。
【請求項１４】
前記動的に構成可能なサブフレームは、ダウンリンクフォーマット及びアップリンクフォーマットという２つのフォーマットを有し、ダウンリンクフォーマットはアップリンクフォーマットよりも多くのダウンリンクリソースを有し、
前記方法は、
前記動的に構成可能なサブフレームのアップリンク／ダウンリンクフォーマットを判定することと、
判定した前記アップリンク／ダウンリンクフォーマットに基づいて、前記動的に構成可能なサブフレームについてアップリンクリソース及び／又はダウンリンクリソースの量を個々のサブフレームごとに動的に変化させることと、
をさらに含む、請求項１０〜１３のいずれかにおける方法。
【請求項１５】
構成可能な前記ダウンリンク部分は、少なくとも制御情報を伝送し、構成可能な前記アップリンク部分は、データ情報、リファレンス情報、及びランダムアクセス情報を伝送する、請求項１１〜１３のいずれかにおける方法。
【請求項１６】
時間分割複信（ＴＤＤ）を用いて無線通信ネットワークと通信するように構成されるユーザ機器（ＵＥ）無線端末（４０）において、
ダウンリンクサブフレームとして予め構成される１つ以上のサブフレーム、アップリンクサブフレームとして予め構成される１つ以上のサブフレーム、及び１つ以上の動的に構成可能なサブフレーム、を含むフレーム構造についてのデータを処理し、
１つ以上の動的に構成可能なサブフレームについての判定される構成に関する受信される情報に基づいて、１つ以上の動的に構成可能なサブフレームについての構成を判定する、
ように構成される電子回路（４２）であって、各動的に構成可能なサブフレームは、ガード時間ピリオド、及び動的に構成可能な量のダウンリンク情報を伝送するための少なくともダウンリンク部分を含み、前記ガード時間ピリオド及び前記ダウンリンク部分の長さが動的に構成可能である、前記電子回路と、
前記無線通信ネットワークから制御チャネル上で、１つ以上の動的に構成可能なサブフレームについての判定される前記構成に関する前記情報を受信し、
動的に構成可能なサブフレームのダウンリンク部分において情報を受信する、
ように構成される無線受信回路（６２，６４，６６）と、
情報を送信するように構成される無線送信回路（７２，６４，６２）と、
を備えるＵＥ無線端末。
【請求項１７】
前記動的に構成可能なサブフレームのうちの１つ以上は、可変量のアップリンク情報を伝送するためのアップリンク部分を含み、前記無線送信回路（７２，６４，６２）は、動的に構成可能なサブフレームの前記アップリンク部分において情報を送信するように構成され、前記電子回路（４２）は、アップリンク部分を含む前記１つ以上の動的に構成可能なサブフレームについての構成を判定するように構成される、請求項１６におけるＵＥ無線端末。
【請求項１８】
前記電子回路（４２）は、動的に構成可能なサブフレームにおけるデータ送信に関連付けられるハイブリッド自動再送要求（ＨＡＲＱ）のフィードバックタイミングを処理する、ように構成される、請求項１７におけるＵＥ無線端末。
【請求項１９】
前記動的に構成可能なサブフレームにおいて伝送される前記アップリンク情報は、アップリンクデータ情報を含むが、制御情報を含まない、請求項１７〜１８のいずれかにおけるＵＥ無線端末。
【請求項２０】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記電子回路（４２）は、前記動的に構成可能なサブフレームのアップリンク／ダウンリンクフォーマットを判定し、判定した前記アップリンク／ダウンリンクフォーマットに基づいて、前記動的に構成可能なサブフレームについてアップリンク及び／又はダウンリンクのリソースの量を個々のサブフレームごとに動的に変化させる、ように構成される、
請求項１６〜１９のいずれかにおけるＵＥ無線端末。
【請求項２１】
構成可能な前記ダウンリンク部分は、少なくとも制御情報を伝送し、構成可能な前記アップリンク部分は、データ情報、リファレンス情報、及びランダムアクセス情報を伝送する、請求項１７〜１９のいずれかにおけるＵＥ無線端末。
【請求項２２】
構成可能な前記ダウンリンク部分及び／又は構成可能なアップリンク部分は、レガシーＵＥのダウンリンク（ＤｗＰＴｓ）部分に重複せず、よって、前記動的に構成可能なサブフレームは、前記動的に構成可能なサブフレームを処理することのできないレガシーＵＥと後方互換性がある、請求項１６〜２１のいずれかにおけるＵＥ無線端末。
【請求項２３】
前記無線通信ネットワークは、ＬＴＥネットワークであり、前記動的に構成可能なサブフレームは、ＬＴＥにおけるスペシャルサブフレームの拡張である、請求項１６〜２２のいずれかにおけるＵＥ無線端末。
【請求項２４】
無線ネットワークノード（１０）とユーザ機器（ＵＥ）無線端末（４０）との間で時間分割複信（ＴＤＤ）による通信を用いる無線通信ネットワークにおいて、サブフレームを使用して通信するための方法であって、
ダウンリンクサブフレームとして予め構成される１つ以上のサブフレームと、アップリンクサブフレームとして予め構成される１つ以上のサブフレームと、ガード時間ピリオド、及び動的に構成可能な量のダウンリンク情報を伝送するための少なくともダウンリンク部分を各々が含む１つ以上の動的に構成可能なサブフレームと、を含むフレーム構造についてのデータを処理するステップと、
前記ガード時間ピリオド及び前記ダウンリンク部分の長さは、動的に構成可能であることと、
前記無線通信ネットワークから制御チャネル上で、１つ以上の動的に構成可能なサブフレームについての判定される構成に関する情報を受信することと、
受信される前記情報に基づいて、１つ以上の動的に構成可能なサブフレームについての構成を判定するステップ（Ｓ１０）と、
動的に構成可能なサブフレームのダウンリンク部分において情報を受信するステップ（Ｓ１４）と、
を前記無線端末が実行することを含む、方法。
【請求項２５】
前記動的に構成可能なサブフレームのうちの１つ以上は、可変量のアップリンク情報を伝送するためのアップリンク部分を含み、
前記方法は、
アップリンク部分を含む前記１つ以上の動的に構成可能なサブフレームについての構成を判定することと、
動的に構成可能なサブフレームの前記アップリンク部分において情報を送信すること（Ｓ１２）と、
をさらに含む、請求項２４における方法。
【請求項２６】
前記動的に構成可能なサブフレームの前記アップリンク部分において伝送される前記アップリンク情報は、アップリンクデータ情報を含むが、制御情報を含まない、請求項２５における方法。
【請求項２７】
前記動的に構成可能なサブフレームは、ダウンリンクフォーマット及びアップリンクフォーマットを有し、
前記ダウンリンクフォーマットは、前記アップリンクフォーマットよりも多くのダウンリンクリソースを含み、
前記方法は、
前記動的に構成可能なサブフレームのアップリンク／ダウンリンクフォーマットを判定することと、
判定した前記アップリンク／ダウンリンクフォーマットに基づいて、前記動的に構成可能なサブフレームについてアップリンクリソース及び／又はダウンリンクリソースの量を個々のサブフレームごとに動的に変化させることと、
をさらに含む、請求項２４〜２６のいずれかにおける方法。
【請求項２８】
構成可能な前記ダウンリンク部分は、少なくとも制御情報を伝送し、構成可能な前記アップリンク部分は、データ情報、リファレンス情報、及びランダムアクセス情報を伝送する、請求項２５〜２６のいずれかにおける方法。
【請求項２９】
前記無線通信ネットワークは、ＬＴＥネットワークであり、前記動的に構成可能なサブフレームは、ＬＴＥにおけるスペシャルサブフレームの拡張である、請求項２４〜２８のいずれかにおける方法。
【手続補正２】
【補正対象書類名】明細書
【補正対象項目名】００３７
【補正方法】変更
【補正の内容】
【００３７】
本願における技術は、従来のダウンリンクサブフレーム及びアップリンクサブフレームに加えて、動的に構成可能なサブフレームを提供する。動的に構成可能なサブフレームは、ダウンリンク部分、アップリンク部分、及びガード部分を含む。この技術は、例えば、時間分割複信（ＴＤＤ）ベースのシステムに有利である。動的に構成可能なガードサブフレームのダウンリンクフォーマット及び動的に構成可能なガードサブフレームのアップリンクフォーマットの両方について説明する。
【国際調査報告】
2015518667.tif 000019
2015518667.tif 000020
2015518667.tif 000021